【手続補正書】
【提出日】平成30年6月6日(2018.6.6)
【手続補正１】
【補正対象書類名】特許請求の範囲
【補正対象項目名】全文
【補正方法】変更
【補正の内容】
【特許請求の範囲】
【請求項１】
モバイルデバイスにおいて、
少なくとも第1のセンサーから第1の測定値を含む1つまたは複数の電気信号を取得するステップであって、前記少なくとも第1のセンサーは、前記モバイルデバイス内に位置し、前記少なくとも第1のセンサーは、第1の加速度計または第1のジャイロスコープを備え、前記モバイルデバイスは、最初に、人を含む対象の第1の点とともにコロケートされているとして識別される、ステップと、
第2の測定値について、第1の要求を前記モバイルデバイスから前記人の第1のウェアラブル電子デバイスに送信し、第3の測定値について、第2の要求を前記モバイルデバイスから前記人の第2のウェアラブル電子デバイスに送信するステップであって、前記第1のウェアラブル電子デバイスおよび前記第2のウェアラブル電子デバイスは、前記モバイルデバイスから物理的に分離されている、ステップと、
前記第1のウェアラブル電子デバイスから、および前記第2のウェアラブル電子デバイスから、前記モバイルデバイスによって受信された1つまたは複数のワイヤレス信号を処理するステップであって、前記1つまたは複数のワイヤレス信号は、少なくとも第2のセンサーからの前記第2の測定値と、少なくとも第3のセンサーからの前記第3の測定値とを含み、前記少なくとも第2のセンサーは、前記第1のウェアラブル電子デバイス内に位置し、前記第3のセンサーは、前記第2のウェアラブル電子デバイス内に位置し、前記少なくとも第2のセンサーは、第2の加速度計または第2のジャイロスコープを備え、前記第1のウェアラブル電子デバイスおよび前記第2のウェアラブル電子デバイスのうちの少なくとも1つは、最初に、前記対象の第2の点とともにコロケートされているとして識別される、ステップと、
動きモデルに少なくとも部分的に基づいて、前記第2の測定値と前記第3の測定値との間の優先度を決定するステップと、
前記対象の推定速度、前記対象の推定方位、または前記対象の推定方位率のうちの少なくとも1つを、(i)前記第1の測定値からの第1の感知された移動の周期性、もしくは第1の感知された移動の位相、(ii)前記優先度に少なくとも部分的に基づく、前記第2の測定値および前記第3の測定値からの第2の感知された移動の周期性、もしくは第2の感知された移動の位相、または、(i)および(ii)の組合せに少なくとも部分的に基づく、前記人の歩行移動の推論に少なくとも部分的に基づいて決定するステップと
を含む方法。
【請求項２】
前記モバイルデバイスによって、しきい値に少なくとも部分的に基づいて、前記第1の測定値、前記第2の測定値、または前記第3の測定値のうちの少なくとも1つが使用のために許容されるか否かを決定するステップをさらに含む、請求項1に記載の方法。
【請求項３】
前記モバイルデバイスによって、
前記第1の測定値、前記第2の測定値、もしくは前記第3の測定値、または、前記第1の測定値と、前記第2の測定値および前記第3の測定値のうちの少なくとも1つを、前記しきい値と比較するステップ
をさらに含む、請求項2に記載の方法。
【請求項４】
前記しきい値が、前記人の前記歩行移動のための期待動きプロファイルに少なくとも部分的に基づく、請求項2に記載の方法。
【請求項５】
前記期待動きプロファイルが、前記第1の測定値と、前記第2の測定値および前記第3の測定値のうちの少なくとも1つとに少なくとも部分的に基づき、
前記期待動きプロファイルが、脚の動きの速度と比較した腕の動きの速度に少なくとも部分的に基づく、請求項4に記載の方法。
【請求項６】
前記しきい値が、前記対象の前記第1の点のための第1の過渡的動きプロファイル、または、前記対象の前記第2の点のための第2の過渡的動きプロファイルのうちの少なくとも1つに少なくとも部分的に基づく、請求項2に記載の方法。
【請求項７】
特定の特性を測定するために、前記第2の測定値または前記第3の測定値を選択するステップと、
前記特定の特性を測定するための前記第2の測定値または前記第3の測定値の前記選択に応答して、前記第1のセンサーを電源切断するステップと
をさらに含む、請求項1に記載の方法。
【請求項８】
前記第1の測定値、前記第2の測定値、および前記第3の測定値のうちの少なくとも1つに少なくとも部分的に基づいて、前記対象が適所における移動を含む活動を実行中であると推論するステップと、
前記対象が適所における移動を含む前記活動を実行中であるとの前記推論に応答して、前記第1の測定値、前記第2の測定値、および前記第3の測定値以外の情報に少なくとも部分的に基づいて、前記推定速度、前記推定方位、または前記推定方位率を決定するステップと
をさらに含む、請求項1に記載の方法。
【請求項９】
前記モバイルデバイスによって、
少なくとも前記第1の測定値と、前記第2の測定値および前記第3の測定値のうちの少なくとも1つとの比較に少なくとも部分的に基づいて、前記第1の測定値、前記第2の測定値、または前記第3の測定値のうちの少なくとも1つが使用のために許容されるか否かを決定するステップ
をさらに含む、請求項1に記載の方法。
【請求項１０】
前記モバイルデバイスによって、
前記第1の測定値と、前記第2の測定値または前記第3の測定値のうちの少なくとも1つとが使用のために許容されるとの決定に応答して、前記第1の測定値と、前記第2の測定値または前記第3の測定値のうちの少なくとも1つとに少なくとも部分的に基づいて、前記対象の前記推定速度、前記対象の前記推定方位、または前記対象の前記推定方位率のうちの少なくとも1つを決定するステップ
をさらに含むか、または、
前記モバイルデバイスによって、
前記第1の測定値または前記第2の測定値のうちの一方が使用のために許容されるが、両方ではないとの決定に応答して、使用のために許容される前記第1の測定値または前記第2の測定値のうちの前記一方に少なくとも部分的に基づいて、前記対象の前記推定速度、前記対象の前記推定方位、または前記対象の前記推定方位率のうちの少なくとも1つを決定するステップ
をさらに含む、請求項1に記載の方法。
【請求項１１】
前記モバイルデバイスによって、
前記第1の測定値からの第1の重力ベクトル、または前記第2の測定値もしくは前記第3の測定値からの第2の重力ベクトルのうちの少なくとも1つを決定するステップと、
前記第1の重力ベクトルまたは前記第2の重力ベクトルのうちの少なくとも1つに少なくとも部分的に基づいて、前記第1の測定値、前記第2の測定値、または前記第3の測定値のうちの少なくとも1つが使用のために許容されるか否かを決定するステップ、または
前記第1の重力ベクトルまたは前記第2の重力ベクトルのうちの少なくとも1つに少なくとも部分的に基づいて、前記対象の前記推定速度、前記対象の前記推定方位、または前記対象の前記推定方位率のうちの少なくとも1つを決定するステップ
のうちの少なくとも1つと
をさらに含む、請求項1に記載の方法。
【請求項１２】
前記モバイルデバイスによって、
前記第1の測定値からのモバイルデバイスの向き、または前記第2の測定値からの第1のウェアラブル電子デバイスの向きのうちの少なくとも1つを決定するステップと、
前記モバイルデバイスの向きまたは前記第1のウェアラブル電子デバイスの向きのうちの少なくとも1つに少なくとも部分的に基づいて、前記第1の測定値または前記第2の測定値のうちの少なくとも1つが使用のために許容されるか否かを決定するステップ、または
前記モバイルデバイスの向きまたは前記第1のウェアラブル電子デバイスの向きのうちの少なくとも1つに少なくとも部分的に基づいて、前記対象の前記推定速度、前記対象の前記推定方位、または前記対象の前記推定方位率のうちの少なくとも1つを決定するステップ
のうちの少なくとも1つと
をさらに含む、請求項1に記載の方法。
【請求項１３】
前記モバイルデバイスによって、
前記対象の前記推定速度、前記対象の前記推定方位、または前記対象の前記推定方位率のうちの少なくとも1つに少なくとも部分的に基づいて、前記対象のためのナビゲーション軌跡を決定するステップ
をさらに含む、請求項1に記載の方法。
【請求項１４】
モバイルデバイスにおいて使用するための装置であって、
少なくとも第1のセンサーから第1の測定値を含む1つまたは複数の電気信号を取得するための手段であって、前記少なくとも第1のセンサーは、前記モバイルデバイス内に位置し、前記少なくとも第1のセンサーは、第1の加速度計または第1のジャイロスコープを備え、前記モバイルデバイスは、最初に、人を含む対象の第1の点とともにコロケートされているとして識別される、手段と、
第2の測定値について、第1の要求を前記モバイルデバイスから前記人の第1のウェアラブル電子デバイスに送信し、第3の測定値について、第2の要求を前記モバイルデバイスから前記人の第2のウェアラブル電子デバイスに送信するための手段であって、前記第1のウェアラブル電子デバイスおよび前記第2のウェアラブル電子デバイスは、前記モバイルデバイスから物理的に分離されている、手段と、
前記第1のウェアラブル電子デバイスから、および前記第2のウェアラブル電子デバイスから、前記モバイルデバイスによって受信された1つまたは複数のワイヤレス信号を処理するための手段であって、前記1つまたは複数のワイヤレス信号は、少なくとも第2のセンサーからの第2の測定値と、少なくとも第3のセンサーからの前記第3の測定値とを含み、前記少なくとも第2のセンサーは、前記第1のウェアラブル電子デバイス内に位置し、前記第3のセンサーは、前記第2のウェアラブル電子デバイス内に位置し、前記少なくとも第2のセンサーは、第2の加速度計または第2のジャイロスコープを備え、前記第1のウェアラブル電子デバイスおよび前記第2のウェアラブル電子デバイスのうちの少なくとも1つは、最初に、前記対象の第2の点とともにコロケートされているとして識別される、手段と、
動きモデルに少なくとも部分的に基づいて、前記第2の測定値と前記第3の測定値との間の優先度を決定するための手段と、
前記対象の推定速度、前記対象の推定方位、または前記対象の推定方位率のうちの少なくとも1つを、(i)前記第1の測定値からの第1の感知された移動の周期性、もしくは第1の感知された移動の位相、(ii)前記優先度に少なくとも部分的に基づく、前記第2の測定値および前記第3の測定値からの第2の感知された移動の周期性、もしくは第2の感知された移動の位相、または、(i)および(ii)の組合せに少なくとも部分的に基づく、前記人の歩行移動の推論に少なくとも部分的に基づいて決定するための手段と
を備える装置。
【請求項１５】
モバイルデバイスの処理ユニットによって実行可能なコンピュータ実装可能命令を記憶した、非一時的コンピュータ可読記憶媒体であって、コンピュータ実装可能命令は、請求項1乃至13の何れか1項に記載の方法を実行するためのものである、非一時的コンピュータ可読記憶媒体。